(57)【要約】  【課題】    誰にも言えない悩みや個人の秘密などを語った会話を、畑等のフィールドの穴等に向かって流すことで、守秘義務を守りながら現代社会の個人の精神的な疲労を回復させてリフレッシュしたり、現代社会の歪みを是正できて明るい社会を構築するようにすることにある。  【解決手段】        パソコン２２や携帯電話のマイクロフォン２３に向かって語った誰にも言えない悩みごとや秘密、希望、夢などについての会話をインターネット６を介して所定場所に配設した水琴庭２のフィールドの水琴窟２等に向かってスピーカー１７で話すようするとして所要の水琴音等として再生しするようにしている。そして、この再生した水琴音をパソコン５や携帯電話のマイクロフォン４を介して録音してインターネット６等を介して所定のパソコン２２や携帯電話のスピーカー２５から再生して聴聞できるようにしている。【選択図】    図１
2005164787.tif 000002
【特許請求の範囲】
【請求項１】
パソコンや携帯電話のマイクロフォンに向かって語った誰にも言えない悩みごとや秘
密、希望、夢などについての会話をインターネット等を介して所定場所に配設した水琴庭
のフィールドの水琴窟に向かってスピーカーを介して話すようにするとともに所要の水琴
音として再生し、
この再生した水琴音をパソコンや携帯電話のマイクロフォンを介して録音してインタ
ーネット等を介して所定のパソコンや携帯電話のスピーカーから再生して聴聞できるよう
にしたことを特徴とするシークレットサウンドシステム。
【請求項２】
パソコンや携帯電話のマイクロフォンに向かって語った誰にも言えない悩みごとや秘
密、希望、夢などについての会話をインターネット等を介して所定場所に配設した水琴庭
のフィールドの水琴窟等に向かってスピーカーを介して話すようにするとともに、所要の
水琴音として再生したり、川のせせらぎ音、海の波の音などの自然の癒しの音楽や癒しの
歌声として編成し、
この編成した癒しの音楽や歌声をパソコンや携帯電話のマイクロフォンを介して録音
してインターネット等を介して所定のパソコンや携帯電話のスピーカーから再生して聴聞
できるようにしたことを特徴とするシークレットサウンドシステム。
【請求項３】
カフェー、クラブ、タクシー、会社等のプライベートルームでパソコンや携帯電話の
マイクロフォンに向かって語った誰にも言えない悩みごとや秘密、希望、夢などについて
の会話をインターネット等を介して所定場所に配設した水琴庭のフィールドの水琴窟等に
向かってスピーカーを介して話して所要の水琴音等として再生するとともに、パソコンや
携帯電話のディスプレイに水琴窟等の状態の映像を写し出すようにして、再生または編成
された水琴音等をパソコンや携帯電話を介して聴聞するときに所定の癒しの映像をパソコ
ンや携帯電話のディスプレイに映し出すようにした請求項１または２に記載のシークレッ
トサウンドシステム。
【請求項４】
所定場所に配設した水琴庭のフィールドの水琴窟等に向かってスピーカーを介して話
すようにして所要の再生した水琴音や音楽等を、スピーカーを介して水琴窟部等のまわり
の植物や野菜、果実の木に聞かせるようにした請求項１に記載のシークレットサウンドシ
ステム。
【発明の詳細な説明】
【技術分野】
【０００１】
本発明は、音響分野やインターネット分野におけるシークレットサウンドシステムに
関するものである。
【背景技術】
【０００２】
従来、インターネット上にあるセーバー等の掲示板に、パソコンや携帯電話を介して
個人の悩みやチャットなどの書き込みが行われて利用されている。これらの書き込みには
、悩み事が多く、現代社会において如何にストレスで疲れているかがよく分かる。
【０００３】
王様の耳はロバの耳だ、と知ってしまった床屋が、禁を破って畑の穴にその秘密を叫
ぶと、その土で栽培された作物を食べた人々は、なぜかその秘密を知る、というギリシャ
神話がある。
【０００４】
このように誰にも言えない悩みや個人の秘密などを語った音声をよく耕された畑等の
フィールドの穴等に向かって流すことで、守秘義務を守りながら現代社会の個人の精神的
な疲労を回復させてリフレッシュしたり、現代社会の歪みを是正できて明るい社会を構築
できないものかと考えた。
【０００５】
発明者らは、学園の畑のフィールドに水琴窟を埋設し、水滴によるシークレットサウ
ンドを発生させる計画をしている。その優雅な音の響きは、聞く人にストレスを緩和し、
ゆとりや安らぎを与える。
【０００６】
そこで、水琴窟について特許調査した結果、水琴窟については多数の件数が検索され
たが、これらはたとえば特開２００１−３３１８６号公報のように繰り返し安定して音を
発生させるものとか、特開平１０−６３２７３号公報のように屋外でも屋内でも設置でき
て、そのオブジェを観賞できるとともに、音放出口付近にマイクロフォンを設置して生の
音色を楽しむものであった。
【特許文献１】特開２００１−３３１８６号公報
【特許文献２】特開平１０−６３２７３号公報
【発明の開示】
【発明が解決しようとする課題】
【０００７】
本発明の解決しようとする課題は、上記したギリシャ神話にもとづき、誰にも言えな
い悩みや個人の秘密などを語った音声をよく耕された畑等のフィールドの穴等に向かって
流すことで、守秘義務を守りながら現代社会の個人の精神的な疲労を回復させてリフレッ
シュしたり、現代社会の歪みを是正できて明るい社会を構築するようにすることにある。
【課題を解決するための手段】
【０００８】
本発明は、パソコンや携帯電話のマイクロフォンに向かって語った誰にも言えない悩
みごとや秘密、希望、夢などについての会話をインターネット等を介して所定場所に配設
した水琴庭のフィールドの水琴窟に向かってスピーカーを介して話すようにするとともに
所要の水琴音として再生し、この再生した水琴音をパソコンや携帯電話のマイクロフォン
を介して録音してインターネット等を介して所定のパソコンや携帯電話のスピーカーから
再生して聴聞できるようにしたことを特徴とするシークレットサウンドシステムを提供す
るにある。
【０００９】
また、パソコンや携帯電話のマイクロフォンに向かって語った誰にも言えない悩みご
とや秘密、希望、夢などについての会話をインターネット等を介して所定場所に配設した
水琴庭のフィールドの水琴窟等に向かってスピーカーを介して囁くようにするとともに、
所要の水琴音として再生したり、川のせせらぎ音、海の波の音などの自然の癒しの音楽や
癒しの歌声として編成し、この編成した癒しの音楽や歌声をパソコンや携帯電話のマイク
ロフォンを介して録音してインターネット等を介して所定のパソコンや携帯電話のスピー
カーから再生して聴聞できるようにしたことを特徴とするシークレットサウンドシステム
を提供するにある。
【００１０】
さらに、カフェー、クラブ、タクシー、会社等のプライベートルームでパソコンや携
帯電話のマイクロフォンに向かって語った誰にも言えない悩みごとや秘密、希望、夢など
についての会話をインターネット等を介して所定場所に配設した水琴庭のフィールドの水
琴窟等に向かってスピーカーを介して話して所要の水琴音等として再生するとともに、パ
ソコンや携帯電話のディスプレイに水琴窟等の状態の映像を写し出すようにして、再生ま
たは編成された水琴音等をパソコンや携帯電話を介して聴聞するときに所定の癒しの映像
をパソコンや携帯電話のディスプレイに映し出すようにしたシークレットサウンドシステ
ムを提供するにある。
【００１１】
またさらに、所定場所に配設した水琴庭のフィールドの水琴窟等に向かってスピーカ
ーを介して話すようにして所要の再生した水琴音や音楽等を、スピーカーを介して水琴窟
部等のまわりの植物や野菜、果実の木に聞かせるようにしたシークレットサウンドシステ
ムを提供するにある。
【発明の効果】
【００１２】
本発明のシークレットサウンドシステムは、パソコンや携帯電話のマイクロフォンに
向かって誰にも言えない悩みごとや秘密、希望、夢などについて語ると、インターネット
等を介して所定場所に配設した水琴庭のフィールドの水琴窟に向かってスピーカーを介し
て話すとともに所要の水琴音として再生できる。そして、この再生した水琴音をパソコン
や携帯電話のマイクロフォンを介して録音してインターネット等を介して所定のパソコン
や携帯電話のスピーカーから再生して聴聞できるようにしたので、マイクロフォンに向か
って語った会話が水琴窟の優雅な音となって蘇り、ストレスを緩和し、ゆとりや安らぎを
与えられ、現代社会の個人の精神的な疲労を回復させてリフレッシュできる。
【００１３】
また、パソコンや携帯電話のマイクロフォンに向かって語った誰にも言えない悩みご
とや秘密、希望、夢などについての会話をインターネット等を介して所定場所に配設した
水琴庭のフィールドの水琴窟等に向かってスピーカーを介して話すとともに所要の水琴音
として再生したり、川のせせらぎ音、海の波の音などの自然の癒しの音楽や癒しの歌声と
して編成し、この編成した癒しの音楽や歌声をパソコンや携帯電話に接続したマイクロフ
ォンを介して録音してインターネット等を介して所定のパソコンや携帯電話のスピーカー
から再生して聴聞できるようにしたことによって、上記のようにマイクロフォンに向かっ
て語った会話が水琴窟の優雅な音や川のせせらぎの音などや癒しの音楽や歌声となって蘇
り、ストレスを緩和し、ゆとりや安らぎを与えられ現代社会の個人の精神的な疲労を回復
させてリフレッシュできる。
【００１４】
さらに、カフェー、クラブ、タクシー、会社等のプライベートルームでパソコンや携
帯電話に接続したマイクロフォンに向かって語った誰にも言えない悩みごとや秘密、希望
、夢などについての会話をインターネット等を介して所定場所に配設した水琴庭等のフィ
ールドの水琴窟等に向かってスピーカーを介して話して所要の水琴音等として再生すると
ともに、パソコンや携帯電話のディスプレイに水琴窟等の状態の映像を写し出すようにし
、再生または編成された水琴音等をパソコンや携帯電話を介して聴聞するときに所定の癒
しの映像をパソコンや携帯電話のディスプレイに映し出すことによって、所要のプライベ
ートルームを利用してパソコンや携帯電話のディスプレイに実際の映像が映し出されてマ
イクロフォンに向かって語った会話が水琴窟等の優雅な音となって蘇り、ストレスを緩和
し、ゆとりや安らぎを与えられる。
【００１５】
またさらに、所定場所に配設した水琴庭等のフィールドの水琴窟等に向かってスピー
カーを介して話すようにして所要の再生した水琴音や音楽を、スピーカーを介して水琴窟
部等のまわりの植物や野菜、果実の木に聞かせることによって、植物や野菜、果実の成長
促進をはかるようにできる。
【発明を実施するための最良の形態】
【００１６】
本発明のシークレットサウンドシステムは、パソコンや携帯電話のマイクロフォンに
向かって語った誰にも言えない悩みごとや秘密、希望、夢などについての会話をインター
ネット等を介して所定場所に配設した水琴庭のフィールドの水琴窟に向かってスピーカー
を介して話すようにするとともに所要の水琴音として再生し、この再生した水琴音をパソ
コンや携帯電話のマイクロフォンを介して録音してインターネット等を介して所定のパソ
コンや携帯電話のスピーカーから再生して聴聞できるようにしたことを特徴としている。
【００１７】
また、パソコンや携帯電話のマイクロフォンに向かって語った誰にも言えない悩みご
とや秘密、希望、夢などについての会話をインターネット等を介して所定場所に配設した
水琴庭のフィールドの水琴窟等に向かってスピーカーを介して話すようにするとともに、
所要の水琴音として再生したり、川のせせらぎ音、海の波の音などの自然の癒しの音楽や
癒しの歌声として編成し、この編成した癒しの音楽や歌声をパソコンや携帯電話のマイク
ロフォンを介して録音してインターネット等を介して所定のパソコンや携帯電話のスピー
カーから再生して聴聞できるようにしたことを特徴としている。
【００１８】
シークレットサウンドシステム１は、図１のように畑の中に水琴庭２を設けてその地
中に水琴窟３を造り、その中に水滴を落下してそこから発生する滴水音の水琴音をマイク
ロフォン４を介して録音し、パソコン５や携帯電話で音声処理してインターネット６を介
して伝送できるようにしている。
【００１９】
上記水琴窟３は、図２（ａ）、（ｂ）のように地中に吊鐘形等の所要の形状の窟洞７
としていて、その上部の中央に窟管８を設けてその上端部をすり鉢状の窟口９とし、窟口
９に複数個所の導水路１０、１１、１２（図では３箇所）を設け、導水路１０、１１、１
２の幅や深さを相違させて、手水鉢１３等から適量の水を導水して上記した複数の導水路
１０、１１、１２に導き、長短の間欠的点滴化垂状や絡合の連続的点滴化として洞窟内に
落下して、ゆったりとした滴水音、快速調の滴水音などの音色の異なった滴水音を発生で
きるものとしている。
【００２０】
また、この水琴窟３に上記したいろいろな音色、リズムを発生させられるように図３
（ａ）、（ｂ）のように手水鉢１３等に所定の容量のじょうろ状の貯水容器１４を枢支す
るとともにその導水筒１５を支持部１６に支持し、貯水容器１４を昇降台１７を介して昇
降モーター１８で昇降制御して水琴窟３の複数の導水路１０、１１、１２に適量給水する
ようにしている。
【００２１】
また、上記水琴窟３には、図１、図２のようにスピーカー１９を配設し、パソコン５
や携帯電話をサーバー２０を介したりしてインターネット６に接続し、通信されるデータ
ーによって水琴窟３に向かって所定の声を流せるようにしている。
【００２２】
たとえば、スピーカー１９から流れる音声をマイクロフォン４を介してパソコン５や
携帯電話に入力して、音声分析処理プログラム回路２１によって図４のようにその音声の
語調、リズム、高・低、キーワードなどを分析し、この分析にもとづいて上記した貯水容
器１４の高さＨ、流量Ｔを決定して昇降データ１８を駆動制御し、手水鉢１３に図３（ｂ
）のように所要量の通水をして導水路１０、１１、１２へ導水し、水琴窟３でいろいろな
所要の音色やリズム等の水琴音を奏するようにできる。なお、分かりやすく貯水容器１４
を昇降させたが、導水筒１５のバルブの開閉制御、傾転制御等によっても行いことができ
る。
【００２３】
上記インターネット６には、周知のように国内外のパソコン２２や携帯電話が接続で
きるようになっているとともに、カフェやクラブ、タクシー、会社等のプライベートルー
ムのパソコン２２や携帯電話に接続可能とし、そのパソコン２２や携帯電話のマイクロフ
ォン２３に向かって話した声を情報処理して、上記したようにインターネット６を介して
水琴窟３のスピーカー１９から内部に向かって音声を流せるようにしている。
【００２４】
したがって、カフェやクラブ、タクシー、会社等のプライベートルームのパソコン２
２や携帯電話のマイクロフォン２３に向かって、誰にも言えない悩みごとや秘密、希望、
夢などについて喋ると、上記したようにインターネット６を介して水琴窟３のスピーカー
１９から内部に向かって音声を流すことができる。このことは、前記したギリシャ神話の
「王様の耳はロバの耳」の現在版のようにできる。
【００２５】
そして、水琴窟３に向かって流出した音声をマイクロフォン４を介してパソコン５や
携帯電話に録音処理し、図４のようにパソコン５や携帯電話のデジタル変換の音声分析処
理プログラム回路２１でその音声の語調、リズム、高低、感情の高ぶり、キーワードなど
を分析して、適宜な音階等にデジタル変換して、昇降モーター１８を駆動制御するととも
に、適宜なところに和音を挿入したりして話す人の意にそう音楽や歌声に編成するように
している。
【００２６】
音楽や歌声の編成については、たとえば図５のようにパソコン５や携帯電話に音声分
析音楽編集プログラム回路２４を設けて、上記のように音声を分析してその語調、リズム
からシャンソン風、ポピュラー風、艷歌風、フオークソング風、童謡風などの所要のゆら
ぎ１／ｆ調の基本パターンを決定し、所要のキーワードの検出から上記基本パターン中の
語句と置換したり、付加、削除したりして所定の音楽、歌を編集できるようにしている。
また、音色、強弱、高・低等の検出でできるだけ入力者の意にそう音楽、歌に編集し、イ
ンターネット６を介してマイクロフォン４への入力者側のパソコン２２や携帯電話のスピ
ーカー２５から聴聞できるようにしている。図６は、このことの一例について図示したも
のである。
【００２７】
なお、入力者側のパソコン２２や携帯電話には、上記のような音声だけでなく、水琴
窟３にＣＣＤのカメラを内装したり、水琴窟３の周辺に配置して水滴状態の映像をインタ
ーネット６を介して音声とともに、入力者側に送信してディスプレイに映し出すようにも
できる。
【００２８】
また、上記水琴窟に限らずに、入力する声にもとづいて川のせせらぎ、海の波、その
他の自然の癒しの音や映像を上記と同じようにしてマイクロフォンやＣＣＤカメラで採取
し、インターネット６を介して入力者側に送信することができる。また、再生した水琴音
や音楽をスピーカーを介して水琴窟部等のまわりの植物や野菜、果実の木に聞かせるよう
にすることによって、植物や野菜、果実の成長促進をはかるようにできる。
【実施例】
【００２９】
図１以下は、本発明の一実施例を示すものである。シークレットサウンドシステム１
の水琴窟３は、図１のように所定の場所の畑の中の水琴庭２に埋設していて、図２のよう
に幅、深さの異なる３本の導水路１０、１１、１２を設けて窟口７から長短の間欠的点滴
化垂状や絡合の連続的点滴化として空洞内に落下して、ゆったりとした滴水音や快速調の
滴水音などの音色の異なった滴水音を発生できるようにしている。
【００３０】
上記水琴窟３の近くに手水鉢１３を設置し、図３のように手水鉢１３に所定容量のじ
ょうろ状の貯水容器１４を配設し、貯水容器１４を昇降台１７を介して昇降モーター１８
で昇降制御して水琴窟３の複数の導水路１０、１１、１２に適量給水できるようにしてい
る。
【００３１】
上記水琴窟３には、図２のようにマイクロフォン４、スピーカー１９、ＣＣＤカメラ
（図示せず）を配設してパソコン５に接続し、図１のようにインターネット６を介してカ
フェ等のパソコン２２に接続してこのパソコン２２のマイクロフォン２３に向かって話し
た声を情報処理して、インターネット６を介して水琴窟３のスピーカー１９から内部に向
かって音声を流せるようにしている。
【００３２】
水琴窟３に向かって流した音声は、マイクロフォン４を介してパソコン５に録音し、
図４のようにパソコン５の音声分析処理プログラム回路２１でその音声の語調、リズム、
高低、感情の高ぶりなどを分析して所定の基準値と比べたり、キーワードなどを検索して
適宜な音階等にデジタル変換して昇降モータ１８を駆動制御して給水し、水琴音を奏する
ようにしているとともに、適宜なところに和音を挿入したりして話す人の意に沿う音楽や
歌声に編成し、上記水琴音とともにインターネット６を介してマイクロフォン４への入力
者側のパソコン２３のスピーカー２５から再生して聴聞できるようにしている。
【００３３】
たとえば、スピーカー１９からの音声の語調が基準値より強いと貯水容器１４の高さ
Ｈを高くし、リズムが基準値より速いと流量Ｔを多くし、基準値より高い音であると貯水
容器１４の高さＨを高くし、「私」、「夢」、「希望」などのワードを検出すると貯水容
器１４を高くし、沈黙状態や「います。」、「した。」などの言葉があると貯水容器１４
を低くして流量Ｔをできるだけ少なくするなどと昇降モーター１８を昇降駆動制御すると
ともにそれぞれの位置での保持時間、通水時間を加減して水琴窟３へ適量通水するように
プログラム制御できる。
【００３４】
音楽や歌声の編成についても、図５のようにパソコン５や携帯電話に音声分析音楽編
集プログラム回路２４を併設して、上記のように音声を分析してその語調、リズムからシ
ャンソン風、ポピュラー風、艷歌風、フオークソング風、童謡風などの所要のゆらぎ１／
ｆ調の基本パターンを決定し、所要のキーワードの検出から上記基本パターン中の語句と
置換したり、付加、削除したりして所定の音楽、歌に編集し、さらに音声の音色、強弱、
高・低等を検出して所要の音楽、歌に編集するようにしている。
【００３５】
したがって、カフェやクラブ、タクシー、会社等のプライベートルームのパソコン２
２に接続（コードレスでも可）したマイクロフォン２３に向かって、誰にも言えない悩み
ごとや秘密、希望、夢などについて喋ると、上記したようにインターネット６を介して水
琴窟３のスピーカー２１から内部に向かって音声を囁くなどして話しを流すことができ、
ギリシャ神話の「王様の耳はロバの耳」の現在版のようにできる。
【００３６】
そして、マイクロフォン２３に向かって語った会話が水琴窟の優雅な音等となって蘇
り、ストレスを緩和し、ゆとりや安らぎを与えられ、現代社会の個人の精神的な疲労を回
復させてリフレッシュできる。
【００３７】
上記の水琴窟２部のパソコン５、昇降モーター１８等への電力の供給は、市給電力の
配電によって行うことができるが、図１のように太陽電池２６、蓄電池２７、コントロー
ラー２８を利用した自然エネルギーを介して給電することもできる。
【００３８】
以上では、水琴窟を所定地に埋設したものを利用したが、簡易な水琴窟を作成してカ
フェ内やクラブ内などに配置して上記のように行うようにできる。
【００３９】
なお、上記のようなシークレットサウンドシステムは、会員制として所定のＩＤ、パ
スワードを発行し、守秘義務を守って実施するようにできる。また、水琴窟に限らずに、
四万十川のせせらぎ、日光の華厳の滝、和歌山の那智の滝などの自然の場所についても同
様に適用可能である。また、携帯電話の場合、ＧＰＳなどを利用して通信することができ
る。
【図面の簡単な説明】
【００４０】
【図１】本発明の一実施例の概要説明用図、
【図２】同上の水琴窟部の上面図（ａ）、および側断面図（ｂ）、
【図３】同上の導水路への給水部分の説明用図（ａ）、および給水チャート（ｂ）、
【図４】同上の水琴音発生の説明用図、
【図５】同上の音楽、歌声発生の説明用図、
【図６】同上のシークレットサウンドシステムの簡略説明図。
【符号の説明】
【００４１】
１…シークレットサウンドシステム  ２…水琴庭          ３…水琴窟
４…マイクロフォン                ５…パソコン        ６…インターネット
７…窟洞                        １０、１１、１２…導水路
１９、２５…スピーカー          ２２…パソコン      ２３…マイクロフォン
【図１】
2005164787.tif 000003
【図２】
2005164787.tif 000004
【図３】
2005164787.tif 000005
【図４】
2005164787.tif 000006
【図５】
2005164787.tif 000007
【図６】
2005164787.tif 000008